(57)【要約】      （修正有）【課題】タッチ表示装置に幅狭エッジフレームを備えさせるとともに、さらに多くの画面内容を表示できる、タッチ表示装置に応用するタッチパネルを提供する。【解決手段】本タッチパネルは、タッチ表示装置に応用し、該タッチ表示装置には表示器を備える。タッチパネルには、表面に遮蔽区と光透過区を備える保護基板と、該保護基板と表示器の間、尚かつ光透過区の下方に位置するタッチセンサ層と、保護基板と表示器の間、尚かつ光透過区の下方に位置する導電線路とを備え、その内、導電線路は、透明導電材質であり、尚かつタッチセンサ層と電気的に接続させる。これにより、タッチ機能を提供する他、表示器に更に多くの画面内容を表示させることができる。【選択図】図５
0003174901.tif 000002
【実用新案登録請求の範囲】
【請求項１】
表示器を備えるタッチ表示装置に応用するタッチパネルは、
表面に遮蔽区と光透過区を備える保護基板と、
保護基板と表示器の間、尚且つ光透過区の下方に位置するタッチセンサ層と、
保護基板と表示器の間、尚且つ光透過区の下方に位置する導電線路と、を備えることを特徴とするタッチパネル。
【請求項２】
前記タッチパネルは、タッチセンサ層と導電線路の下側、尚且つ表示器の上側に位置する透明基板をさらに含むことを特徴とする請求項１に記載のタッチパネル。
【請求項３】
前記導電線路の材質は、グラフェン(Graphene)、酸化インジウムスズ(ITO)、酸化インジウム酸化亜鉛(IZO)、酸化亜鉛アルミニウム(AZO)等の透明導電材質から何れか一つを選択することを特徴とする請求項１に記載のタッチパネル。
【請求項４】
前記保護基板は、ガラス、ポリカーボネート (PC)、ポリエチレンテレフタラート(PET)、ポリメタクリル酸メチル樹脂(PMMA)、環状オレフィン・コポリマー(COC)の内の何れか一つの材料によって製作される透明薄板であることを特徴とする請求項１に記載のタッチパネル。
【請求項５】
前記遮蔽区は、インク、カラーレジスト、有機材料、無機材料等の不透明材料から何れか一つを選択することを特徴とする請求項１に記載のタッチパネル。
【請求項６】
前記タッチセンサ層は、静電容量式タッチセンサ、抵抗式タッチセンサのどちらか一つを選択することを特徴とする請求項１に記載のタッチパネル。
【請求項７】
前記表示器は、液晶ディスプレイ(LCD)、有機発光ダイオード(OLED)ディスプレイ、プラズマディスプレイ(PDP)、電子ペーパー(e-paper)の内から何れか一つを選択することを特徴とする請求項１に記載のタッチパネル。
【考案の詳細な説明】
【技術分野】
【０００１】
本考案は、幅狭エッジフレームを備えたタッチパネルに関する。
【背景技術】
【０００２】
図１〜３に示すとおり、公知タッチ表示装置１はタッチパネル１１と表示器１３を含む。従来のタッチパネル１１の最も外側の一層である保護基板はカバーガラス(Cover Glass, CG)とも呼ばれ、その四方周囲縁のエッジフレーム１１１１は不透明素材である。これはタッチセンサ層１１３と電気的接続をする導電線路１１５には通常、不透明の金属銀線を使用しており、美しい外観を備えさせる目的のために、エッジフレーム１１１１で導電線路１１５を覆い隠す必要があるからである。
【０００３】
しかしながら、現在のタッチ表示装置の設計は、幅狭エッジフレームとする方向にあるため、従来のタッチパネル１１のエッジフレーム設計は既に将来の設計の流れに追随できないものとなっている。さらに、導電線路１１５が存在するため、タッチ表示装置の表示画面を拡大することができない。図３に示すとおり、公知タッチ表示装置１の光透過区１１１０（或いは「表示部分」とも言う）は若干のタッチ図案１６しか表示できず（図中においては六つを表示）、タッチ製品の軽薄短小型の発展には不利である。
【０００４】
そこで本考案の考案者は公知のタッチパネル１１における欠点に鑑み、改良を重ね、タッチ表示装置に応用するタッチパネルを生み出し、前記欠点を解決する。
【考案の概要】
【考案が解決しようとする課題】
【０００５】
本考案の目的は、タッチ表示装置に幅狭エッジフレームを備えさせるとともに、さらに多くの画面内容を表示できる、タッチ表示装置に応用するタッチパネルを提供することにある。
【課題を解決するための手段】
【０００６】
前述の目的を達成するために、本考案のタッチパネルは、表示器を備えるタッチ表示装置に応用し、表面に遮蔽区と光透過区を備える保護基板と、保護基板と表示器の間、尚且つ光透過区の下方に位置するタッチセンサ層と、保護基板と表示器の間、尚且つ光透過区の下方に位置する導電線路とを備え、その内、導電線路は、透明導電材質であり、尚且つタッチセンサ層と電気的に接続させる。
【考案の効果】
【０００７】
本考案のタッチパネルは、タッチ表示装置に幅狭エッジフレームを備えることにより、さらに多くの画面内容を表示する効果を発揮する。
【図面の簡単な説明】
【０００８】
【図１】公知のタッチ表示装置の構造分解図である。
【図２】図１の側面断面図である。
【図３】公知タッチ表示装置の表示器によって表示された画面内容の範例を示す図である。
【図４】本考案タッチパネルを応用したタッチ表示装置第一実施例の構造分解図である。
【図５】図４を組み立てた状態の側面断面図である。
【図６】本考案タッチパネルを応用したタッチ表示装置第二実施例の側面断面図である。
【図７】本考案タッチパネルに応用したタッチ表示装置によって表示された画面内容の範例を示す図である。
【考案を実施するための形態】
【０００９】
本技術の熟知者が説明を熟読した後に説明に基づいて本考案を実現できるよう、次に、本考案のその他機能及び技術特徴について説明する。
【実施例】
【００１０】
図４には本考案タッチパネルを応用したタッチ表示装置第一実施例の構造分解図を、図５には本考案の図４の側面断面図を示す。本考案のタッチパネル２１に応用するタッチ表示装置２は、タッチパネル２１と表示器２３を含み、タッチパネル２１は表示器２３の上表面に貼り付ける。表示器２３は、例えば液晶ディスプレイ(LCD)、有機発光ダイオード(OLED)ディスプレイ、プラズマディスプレイ(PDP)、電子ペーパー(e-paper)等の公知の平面状表示器を直接採用する。本考案のタッチパネル２１は、保護基板２１１、タッチセンサ層２１３、及び導電線路２１５を含み、それぞれについては後述の説明による。
【００１１】
保護基板２１１の内の一機能は、タッチ表示装置２を保護することにあり、保護基板２１１の材質は、ガラス、ポリカーボネート (PC)、ポリエチレンテレフタラート(PET)、ポリメタクリル酸メチル樹脂(PMMA)、環状オレフィン・コポリマー(COC)の内の何れか一つの材料によって製作される透明薄板である。図４及び図５に示すとおり、保護基板２１１の表面は光透過区２１１ａと遮蔽区２１１ｂを備え、その内の光透過区２１１ａは表示器２３からの光線（破線部分を指す）を通過させ、操作画面を表示する。遮蔽区２１１ｂの成分はインク、カラーレジスト、有機材料、或いは無機材料等の不透明材料であり、直接印刷、塗布、金属蒸着等の公知技術手段によって保護基板２１１の下表面の周囲エッジ箇所に形成してもよい。
【００１２】
タッチセンサ層２１３は保護基板２１１と表示器２３の間、尚且つ光透過区２１１ａの下方に位置する。タッチセンサ層２１３には公知の静電容量式タッチセンサ或いは抵抗式タッチセンサを直接採用し、タッチセンサ層２１３の具体的構造は本考案の主張するポイントではない故、ここでは説明を省く。実施する製造工程において、タッチセンサ層２１３はスパッタリング、エッチング等技術を用いて保護基板２１１の下表面に直接形成する。
【００１３】
導電線路２１５も同様に保護基板２１１と表示器２３の間、尚且つ光透過区２１１ａの下方に位置する。本考案の導電線路２１５の材質は、例えば、グラフェン(Graphene)、酸化インジウムスズ(ITO)、酸化インジウム酸化亜鉛(IZO)、酸化亜鉛アルミニウム(AZO)等の透明導電材質から選択する。導電線路２１５は同様に保護基板２１１の下表面に形成し、その一端とタッチセンサ層２１３とを電気的接続し、他の一端と制御器２５とを電気的に接続する（図７参照）。導電線路２１５は光を透過するため、表示器２３からの光線（破線部分）は導電線路１１５を通過して貫通される。
【００１４】
図６には本考案タッチパネルを応用したタッチ表示装置第二実施例の側面断面図を示す。本実施例と第一実施例の差異は、タッチセンサ層２１３と導電線路２１５の下側、且つ表示器２３の上側に透明基板２１７を増設した点にあり、その他の部品はほぼ同様である。本実施例と図１の差異は、導電線路２１５に透明導電材質を使用した点にある。実際の方法として、本実施例では公知のガラス貼り合わせ技術(G/G)により、光学接着剤を用いてタッチセンサ層２１３と導電線路２１５を備える透明基板２１７と保護基板２１１の二枚の透明薄板を貼り合わせて一緒にし、タッチパネル２１を形成する。
【００１５】
図７は本考案タッチパネル２１に応用したタッチ表示装置２に表示された画面内容の範例図である。図７及び図３から理解されるように、本考案タッチパネル２１に応用したタッチ表示装置２は比較的多くのタッチ図案２６を表示できる（図中では12個）よって、本考案の特徴は、導電線路２１５に透明導電材質を用いることで、表示器２３に更に多くの情報を表示でき、保護基板２１１の遮蔽区２１１ｂをもさらに狭くすることができ、美しい外観を備える目的を果たす。また、本考案はタッチ表示装置２でのソフト操作画面の切替回数を減らすことができるため、省エネ効果も有する。
【００１６】
本考案は新規性、進歩性、産業上の利用価値を備え、特許法の実用新案出願要件を疑いなく満たすものである。よって、ここに特許法に依拠して出願を行います故、貴庁には早期の許可をお願い申し上げます。
【００１７】
但し、前述は本考案の好ましい実施例の一例であるだけで、本考案の実施範囲を限定するものではない。よって、本考案の実用新案登録請求の範囲及び説明書の内容に基づきなされた同等効果を有する変化や修飾は何れも本考案の範囲内に属することを明記する。
【符号の説明】
【００１８】
１  公知タッチ表示装置
１１  タッチパネル
１３  表示器
１５  制御器
１６  タッチ図案
１１３  タッチセンサ層
１１５  導電線路
１１１０  光透過区
１１１１  エッジフレーム
２  タッチ表示装置
２１  タッチパネル
２３  表示器
２５  制御器
２６  タッチ図案
２１１  保護基板
２１１ａ  光透過区
２１１ｂ  遮蔽区
２１３  タッチセンサ層
２１５  導電線路
２１７  透明基板
【図１】
0003174901.tif 000003
【図２】
0003174901.tif 000004
【図３】
0003174901.tif 000005
【図４】
0003174901.tif 000006
【図５】
0003174901.tif 000007
【図６】
0003174901.tif 000008
【図７】
0003174901.tif 000009